(57)【要約】【課題】利用するカラオケ装置に搭載されている採点機能の種類に関わらず、所望の採点機能による採点結果を得ることが可能なカラオケ装置を提供する。【解決手段】カラオケ歌唱を採点するための採点機能を搭載するカラオケ装置であって、自己が搭載する採点機能を含む複数種類の採点機能の中から、二つ以上の採点機能が所望の採点機能として選択された場合、当該所望の採点機能を搭載するかどうかを判断する判断部、選択された所望の採点機能のうち少なくとも一つを搭載する場合、そのうちの一の採点機能を実行して第一の採点結果を得る採点処理部、所望の採点機能のうち、一の採点機能以外の他の採点機能を搭載する他のカラオケ装置を特定する特定部、特定された他のカラオケ装置に対し、他の採点機能を実行するために必要な歌唱情報を送信する歌唱情報送信部、第一の採点結果、及び／または他のカラオケ装置が搭載する採点機能により得られた第二の採点結果を提示する提示部、を有するカラオケ装置。【選択図】図３
2018091983.tif 000002
【特許請求の範囲】
【請求項１】
カラオケ歌唱を採点するための採点機能を搭載するカラオケ装置であって、
自己が搭載する採点機能を含む複数種類の採点機能の中から、二つ以上の採点機能が所望の採点機能として選択された場合、当該所望の採点機能を搭載するかどうかを判断する判断部と、
選択された前記所望の採点機能のうち少なくとも一つを搭載する場合、そのうちの一の採点機能を実行して第一の採点結果を得る採点処理部と、
前記所望の採点機能のうち、前記一の採点機能以外の他の採点機能を搭載する他のカラオケ装置を特定する特定部と、
特定された前記他のカラオケ装置に対し、前記他の採点機能を実行するために必要な歌唱情報を送信する歌唱情報送信部と、
前記第一の採点結果、及び／または前記他のカラオケ装置が搭載する採点機能により得られた第二の採点結果を提示する提示部と、
を有するカラオケ装置。
【請求項２】
前記カラオケ装置は、選択された前記所望の採点機能を全て搭載することを特徴とする請求項１記載のカラオケ装置。
【請求項３】
前記カラオケ装置は、選択された前記所望の採点機能のうち、一部のみ搭載することを特徴とする請求項１記載のカラオケ装置。
【請求項４】
カラオケ歌唱を採点するための採点機能を搭載するカラオケ装置であって、
自己が搭載する採点機能を含む複数種類の採点機能の中から、少なくとも一つの採点機能が所望の採点機能として選択された場合、当該所望の採点機能を搭載するかどうかを判断する判断部と、
前記所望の採点機能を搭載していない場合、当該所望の採点機能を搭載する他のカラオケ装置を特定する特定部と、
特定された前記他のカラオケ装置に対し、前記所望の採点機能を実行するために必要な歌唱情報を送信する歌唱情報送信部と、
前記他のカラオケ装置が搭載する採点機能による採点結果を提示する提示部と、
を有するカラオケ装置。
【請求項５】
カラオケ歌唱を採点するための採点機能を搭載する一のカラオケ装置及び他のカラオケ装置を有するカラオケシステムであって、
前記一のカラオケ装置は、
自己が搭載する採点機能を含む複数種類の採点機能の中から、二つ以上の採点機能が所望の採点機能として選択された場合、当該所望の採点機能を搭載するかどうかを判断する判断部と、
選択された前記所望の採点機能のうち少なくとも一つを搭載する場合、そのうちの一の採点機能を実行して第一の採点結果を得る第一の採点処理部と、
前記所望の採点機能のうち、前記一の採点機能以外の他の採点機能を搭載する前記他のカラオケ装置を特定する特定部と、
特定された前記他のカラオケ装置に対し、前記他の採点機能を実行するために必要な歌唱情報を送信する歌唱情報送信部と、
前記第一の採点結果、及び／または後記第二の採点結果を提示する提示部と、
を有し、
前記他のカラオケ装置は、
送信された前記歌唱情報に対して前記他の採点機能を実行して第二の採点結果を得る第二の採点処理部と、
前記第二の採点結果を前記一のカラオケ装置に送信する採点結果送信部と、
を有するカラオケシステム。
【請求項６】
カラオケ歌唱を採点するための採点機能を搭載する一のカラオケ装置及び他のカラオケ装置を有するカラオケシステムであって、
前記一のカラオケ装置は、
自己が搭載する採点機能を含む複数種類の採点機能の中から、少なくとも一つの採点機能が所望の採点機能として選択された場合、当該所望の採点機能を搭載するかどうかを判断する判断部と、
前記所望の採点機能を搭載していない場合、当該所望の採点機能を搭載する前記他のカラオケ装置を特定する特定部と、
特定された前記他のカラオケ装置に対し、前記所望の採点機能を実行するために必要な歌唱情報を送信する歌唱情報送信部と、
後記採点結果を提示する提示部と、
を有し、
前記他のカラオケ装置は、
送信された前記歌唱情報に対して前記所望の採点機能を実行して採点結果を得る採点処理部と、
前記採点結果を前記一のカラオケ装置に送信する採点結果送信部と、
を有するカラオケシステム。
【発明の詳細な説明】
【技術分野】
【０００１】
本発明はカラオケ装置、及びカラオケシステムに関する。
【背景技術】
【０００２】
カラオケ装置には、歌唱の巧拙を反映した得点を算出する採点機能が搭載されている（非特許文献１参照）。
【０００３】
たとえば、株式会社第一興商が販売するカラオケ機種ＸＧ１０００（Ｐｒｅｍｉｅｒ  ＤＡＭ（登録商標））には、「精密採点ＩＩ（「精密採点」は登録商標）」（非特許文献２参照）という採点機能が搭載されている。利用者は当該採点機能を利用することにより、自己のカラオケ歌唱の巧拙を具体的な数値（得点）として把握できる。
【０００４】
また、複数の採点機能を搭載するカラオケ装置もある。たとえば、株式会社第一興商が販売するカラオケ装置であるＧ１００Ｘ（Ｃｙｂｅｒ  ＤＡＭ（登録商標））には、「精密採点ＤＸＬｉｔｅ」及び「精密採点ＩＩ」という２種類の採点機能が搭載されており、ＸＧ５０００（ＬＩＶＥ  ＤＡＭ（登録商標））には、「精密採点ＤＸ」（非特許文献３参照）及び「シンプル採点」という２種類の採点機能が搭載されており、ＸＧ７０００（ＬＩＶＥ  ＤＡＭ  ＳＴＡＤＩＵＭ（登録商標））には、「精密採点ＤＸ−Ｇ」（非特許文献４参照）、及び「精密採点ＤＸデュエット」という２種類の採点機能が搭載されている。
【０００５】
複数の採点機能を有するカラオケ装置においては、利用者がカラオケ装置のフロントパネルやリモコン装置のメニュー画面に表示される複数の採点機能のボタンの中から所望の採点機能を選択することで、当該採点機能を実行することができる。このように、利用者は任意の採点機能を選択することにより、カラオケ歌唱を楽しむことができる。なお、複数の採点機能が搭載されているカラオケ装置においては、ある採点機能を実施中に他の採点機能を選択することにより、採点機能の切り替えも可能となっている。
【先行技術文献】
【非特許文献】
【０００６】
【非特許文献１】“精密採点”、［ｏｎｌｉｎｅ］、Ｗｉｋｉｐｅｄｉａ、［平成２８年１１月２８日検索］、インターネット＜ＵＲＬ：https://ja.wikipedia.org/wiki/%E7%B2%BE%E5%AF%86%E6%8E%A1%E7%82%B9＞
【非特許文献２】“ＣｌｕｂＤＡＭ．ｃｏｍ  ＤＡＭとも  精密採点ＩＩ”、［ｏｎｌｉｎｅ］、株式会社第一興商、［平成２８年１１月２８日検索］、インターネット＜ＵＲＬ：http://www.clubdam.com/app/damStation/page.do?type=damstation&source=seimitsusaiten2&subType=dscontents＞
【非特許文献３】“ＣｌｕｂＤＡＭ．ｃｏｍ  ＤＡＭとも  精密採点ＤＸ”、［ｏｎｌｉｎｅ］、株式会社第一興商、［平成２８年１１月２８日検索］、インターネット＜ＵＲＬ：https://www.clubdam.com/app/damStation/page.do?type=damstation&source=seimitsusaiten#dx&subType=dscontents＞
【非特許文献４】“ＣｌｕｂＤＡＭ．ｃｏｍ  ＤＡＭとも  精密採点ＤＸ−Ｇ”、［ｏｎｌｉｎｅ］、株式会社第一興商、［平成２８年１１月２８日検索］、インターネット＜ＵＲＬ：https://www.clubdam.com/app/damStation/page.do?type=damstation&source=seimitsusaiten#dx#g&subType=dscontents＞
【発明の概要】
【発明が解決しようとする課題】
【０００７】
ところで、上述の通り、カラオケ装置は機種によって搭載されている採点機能が異なる。従って、希望する採点機能が搭載されていないカラオケ装置が設置されたカラオケルームやナイト店に入店してしまうと、利用者はカラオケ歌唱を十分に楽しむことができない。また、利用者によっては、自己のカラオケ歌唱について様々な採点機能を利用して採点してみたいという場合もありうる。
【０００８】
本発明の目的は、利用するカラオケ装置に搭載されている採点機能の種類に関わらず、所望の採点機能による採点結果を得ることが可能なカラオケ装置及びカラオケシステムを提供することにある。
【課題を解決するための手段】
【０００９】
上記目的を達成するための一の発明は、カラオケ歌唱を採点するための採点機能を搭載するカラオケ装置であって、自己が搭載する採点機能を含む複数種類の採点機能の中から、二つ以上の採点機能が所望の採点機能として選択された場合、当該所望の採点機能を搭載するかどうかを判断する判断部と、選択された前記所望の採点機能のうち少なくとも一つを搭載する場合、そのうちの一の採点機能を実行して第一の採点結果を得る採点処理部と、前記所望の採点機能のうち、前記一の採点機能以外の他の採点機能を搭載する他のカラオケ装置を特定する特定部と、特定された前記他のカラオケ装置に対し、前記他の採点機能を実行するために必要な歌唱情報を送信する歌唱情報送信部と、前記第一の採点結果、及び／または前記他のカラオケ装置が搭載する採点機能により得られた第二の採点結果を提示する提示部と、を有するカラオケ装置である。
また、上記目的を達成するための一の発明は、カラオケ歌唱を採点するための採点機能を搭載する一のカラオケ装置及び他のカラオケ装置を有するカラオケシステムであって、前記一のカラオケ装置は、自己が搭載する採点機能を含む複数種類の採点機能の中から、二つ以上の採点機能が所望の採点機能として選択された場合、当該所望の採点機能を搭載するかどうかを判断する判断部と、選択された前記所望の採点機能のうち少なくとも一つを搭載する場合、そのうちの一の採点機能を実行して第一の採点結果を得る第一の採点処理部と、前記所望の採点機能のうち、前記一の採点機能以外の他の採点機能を搭載する前記他のカラオケ装置を特定する特定部と、特定された前記他のカラオケ装置に対し、前記他の採点機能を実行するために必要な歌唱情報を送信する歌唱情報送信部と、前記第一の採点結果、及び／または後記第二の採点結果を提示する提示部と、を有し、前記他のカラオケ装置は、送信された前記歌唱情報に対して前記他の採点機能を実行して第二の採点結果を得る第二の採点処理部と、前記第二の採点結果を前記一のカラオケ装置に送信する採点結果送信部と、を有するカラオケシステムである。
本発明の他の特徴については、後述する明細書及び図面の記載により明らかにする。
【発明の効果】
【００１０】
本発明によれば、利用するカラオケ装置に搭載されている採点機能の種類に関わらず、所望の採点機能による採点結果を得ることができる。
【図面の簡単な説明】
【００１１】
【図１】第１実施形態に係るカラオケシステムの概略を示す図である。
【図２】第１実施形態に係るカラオケ装置のハードウェア構成例を示す図である。
【図３】第１実施形態に係る一のカラオケ装置のソフトウェア構成例を示す図である。
【図４】第１実施形態に係る他のカラオケ装置のソフトウェア構成例を示す図である。
【図５】第１実施形態に係るカラオケシステムの処理を示すフローチャートである。
【図６】第２実施形態に係る一のカラオケ装置のソフトウェア構成例を示す図である。
【図７】第２実施形態に係るカラオケシステムの処理を示すフローチャートである。
【発明を実施するための形態】
【００１２】
後述する明細書及び図面の記載から、上記の主たる発明の他、少なくとも以下の事項が明らかとなる。
【００１３】
すなわち、前記カラオケ装置は、選択された前記所望の採点機能を全て搭載する。或いは、前記カラオケ装置は、選択された前記所望の採点機能のうち、一部のみ搭載する。このようなカラオケ装置によれば、選択された全ての採点機能による採点結果を得ることができる。
【００１４】
また、カラオケ歌唱を採点するための採点機能を搭載するカラオケ装置であって、自己が搭載する採点機能を含む複数種類の採点機能の中から、少なくとも一つの採点機能が所望の採点機能として選択された場合、当該所望の採点機能を搭載するかどうかを判断する判断部と、前記所望の採点機能を搭載していない場合、当該所望の採点機能を搭載する他のカラオケ装置を特定する特定部と、特定された前記他のカラオケ装置に対し、前記所望の採点機能を実行するために必要な歌唱情報を送信する歌唱情報送信部と、前記他のカラオケ装置が搭載する採点機能による採点結果を提示する提示部と、を有するカラオケ装置が明らかとなる。このようなカラオケ装置によれば、利用するカラオケ装置に搭載されていない採点機能による採点結果を得ることが可能となる。
【００１５】
更に、カラオケ歌唱を採点するための採点機能を搭載する一のカラオケ装置及び他のカラオケ装置を有するカラオケシステムであって、前記一のカラオケ装置は、自己が搭載する採点機能を含む複数種類の採点機能の中から、少なくとも一つの採点機能が所望の採点機能として選択された場合、当該所望の採点機能を搭載するかどうかを判断する判断部と、前記所望の採点機能を搭載していない場合、当該所望の採点機能を搭載する前記他のカラオケ装置を特定する特定部と、特定された前記他のカラオケ装置に対し、前記所望の採点機能を実行するために必要な歌唱情報を送信する歌唱情報送信部と、後記採点結果を提示する提示部と、を有し、前記他のカラオケ装置は、送信された前記歌唱情報に対して前記所望の採点機能を実行して採点結果を得る採点処理部と、前記採点結果を前記一のカラオケ装置に送信する採点結果送信部と、を有するカラオケシステムが明らかとなる。このようなカラオケシステムによれば、利用するカラオケ装置に搭載されていない採点機能による採点結果を得ることが可能となる。
【００１６】
＜第１実施形態＞
図１〜図５を参照して、第１実施形態に係るカラオケシステム１について説明する。
【００１７】
＝＝カラオケシステム＝＝
カラオケシステム１は、カラオケ歌唱を採点するための採点機能を搭載するカラオケ装置を複数有している。図１に示すように、本実施形態に係るカラオケシステム１は、カラオケ装置Ｋ１〜カラオケ装置Ｋ３の３つのカラオケ装置を有する。各カラオケ装置は、たとえば、同じカラオケ店舗内の各部屋に設置されている。互いのカラオケ装置は、ネットワークＮ（たとえば、店舗専用のＬＡＮ（Ｌｏｃａｌ  Ａｒｅａ  Ｎｅｔｗｏｒｋ））を介して互いに通信可能となっている。
【００１８】
カラオケ装置それぞれは、所定の採点機能を少なくとも一つ搭載している。採点機能は、カラオケ歌唱を所定の基準（リファレンスデータとの対比、歌唱技法の有無等）によって評価し、その結果を数値や巧拙のコメント等で利用者に提示するための機能である。採点機能は、所定のプログラムに基づいて実行される。本実施形態において、カラオケ装置Ｋ１は、採点機能として「精密採点ＤＸ」及び「シンプル採点」を搭載し、カラオケ装置Ｋ２は、採点機能として「シンプル採点」を搭載し、カラオケ装置Ｋ３は、採点機能として「精密採点ＤＸ−Ｇ」を搭載しているとする。
【００１９】
＝＝カラオケ装置＝＝
カラオケ装置Ｋ１〜カラオケ装置Ｋ３は、カラオケ演奏及び利用者がカラオケ歌唱を行うための装置である。カラオケ装置Ｋ１〜カラオケ装置Ｋ３のハードウェア構成は同じであるため、以下カラオケ装置Ｋ１を例に説明する。一方、カラオケ歌唱を行うカラオケ装置とそれ以外のカラオケ装置（採点機能を代行するカラオケ装置）とでは、ソフトウェア構成が異なる（詳細は後述）。
【００２０】
（カラオケ装置Ｋ１のハードウェア構成）
図２に示すように、カラオケ装置Ｋ１は、カラオケ本体１０、スピーカ２０、表示装置３０、マイク４０、及びリモコン装置５０を備える。
【００２１】
スピーカ２０はカラオケ本体１０からの放音信号に基づいて放音するための構成である。表示装置３０はカラオケ本体１０からの信号に基づいて映像や画像を画面に表示するための構成である。マイク４０は利用者の歌唱音声をアナログの音声信号に変換してカラオケ本体１０に入力するための構成である。リモコン装置５０は、カラオケ本体１０に対する各種操作をおこなうための装置である。利用者はリモコン装置５０を用いてカラオケ歌唱を希望する楽曲の選曲（予約）や採点機能の選択（詳細は後述）等を行うことができる。リモコン装置５０の表示画面には各種操作の指示入力を行うためのアイコン等が表示される。
【００２２】
カラオケ本体１０は、選択されたカラオケ楽曲の演奏制御、歌詞や背景映像等の表示制御、マイク４０を通じて入力された音声信号の処理といった、カラオケ歌唱に関する各種の制御を行う。図２に示すように、カラオケ本体１０は、制御部１１、通信部１２、記憶部１３、音響処理部１４、表示処理部１５及び操作部１６を備える。各構成はインターフェース（図示なし）を介してバスＢに接続されている。
【００２３】
制御部１１は、ＣＰＵ１１ａおよびメモリ１１ｂを備える。ＣＰＵ１１ａは、メモリ１１ｂに記憶された動作プログラムを実行することにより各種の制御機能を実現する。メモリ１１ｂは、ＣＰＵ１１ａに実行されるプログラムを記憶したり、プログラムの実行時に各種情報を一時的に記憶したりする記憶装置である。
【００２４】
通信部１２は、ルーター（図示なし）を介してカラオケ本体１０を通信回線に接続するためのインターフェースを提供する。
【００２５】
記憶部１３は、各種のデータを記憶する大容量の記憶装置であり、たとえばハードディスクドライブなどである。記憶部１３は、カラオケ装置１によりカラオケ演奏を行うための複数の楽曲データを記憶する。
【００２６】
楽曲データは、個々の楽曲を特定するための楽曲ＩＤが付与されている。楽曲データは、伴奏データ、リファレンスデータ等を含む。伴奏データは、カラオケ演奏音の元となるデータである。リファレンスデータは、楽曲の主旋律等を示すデータである。リファレンスデータは、たとえば、歌唱者によるカラオケ歌唱を採点する際の基準として用いられる。伴奏データ及びリファレンスデータは、たとえばＭＩＤＩ形式で構成される。また、記憶部１３は、カラオケ楽曲に対応する歌詞テロップを表示装置３０等に表示させるための歌詞テロップデータ、カラオケ演奏時に表示装置３０等に表示される背景画像等の背景画像データ、及び楽曲の属性情報（歌手名、作詞・作曲者名、ジャンル等の当該楽曲に関する情報）を記憶する。
【００２７】
音響処理部１４は、制御部１１の制御に基づき、カラオケ楽曲に対する演奏の制御およびマイク４０を通じて入力された歌唱音声信号の処理を行う。音響処理部１４は、たとえばＭＩＤＩ音源、ミキサ、アンプ（いずれも図示なし）を含む。ＭＩＤＩ音源は、楽曲データに基づいて楽音信号を生成する。ミキサは、当該音楽信号およびマイク４０から出力される歌唱音声信号を適当な比率でミキシングしてアンプに出力する。アンプは、ミキサからのミキシング信号を増幅し、放音信号としてスピーカ２０へ出力する。これにより、スピーカ２０からは放音信号に基づくカラオケ演奏音およびマイク４０からの歌唱音声が放音される。
【００２８】
表示処理部１５は、制御部１１の制御に基づき、表示装置３０やリモコン装置５０における各種表示に関する処理を行う。たとえば、表示処理部１５は、カラオケ演奏時における背景映像に歌詞テロップや各種アイコンが重ねられた映像を表示装置３０に表示させる制御を行う。
【００２９】
操作部１６は、パネルスイッチおよびリモコン受信回路などからなり、利用者によるカラオケ装置１のパネルスイッチ或いはリモコン装置５０の操作に応じて選曲信号、演奏中止信号などの操作信号を制御部１１に対して出力する。制御部１１は、操作部１６からの操作信号を検出し、対応する処理を実行する。
【００３０】
（カラオケ装置Ｋ１のソフトウェア構成）
図３はカラオケ装置Ｋ１におけるカラオケ本体１０のソフトウェア構成例を示す図である。カラオケ本体１０は、採点機能記憶部１００ａ、機能名称記憶部２００ａ、採点機能選択部３００ａ、判断部４００ａ、採点処理部５００ａ、特定部６００ａ、送信処理部７００ａ、及び提示部８００ａを備える。採点機能記憶部１００ａ及び機能名称記憶部２００ａは、記憶部１３の記憶領域の一部として実現される。また、採点機能選択部３００ａ、判断部４００ａ、採点処理部５００ａ、特定部６００ａ、送信処理部７００ａ、提示部８００ａは、ＣＰＵ１１ａがメモリ１１ｂに記憶されるプログラムを実行することにより実現される。本実施形態においてカラオケ装置Ｋ１は、「一のカラオケ装置」の一例である。
【００３１】
［採点機能記憶部］
採点機能記憶部１００ａは、採点処理部５００ａでカラオケ歌唱を採点する際の処理プログラムを所定のＩＤと関連付けて記憶している。本実施形態において、カラオケ装置Ｋ１の採点機能記憶部１００ａは、採点機能として「精密採点ＤＸ」及び「シンプル採点」を記憶している。
【００３２】
［機能名称記憶部］
機能名称記憶部２００ａは、カラオケシステム１に含まれるカラオケ装置（カラオケ装置Ｋ１〜カラオケ装置Ｋ３）で実行可能な全ての採点機能の名称を所定のＩＤと関連付けて記憶している。すなわち、「全ての採点機能の名称」には、採点機能記憶部１００ａに記憶されていない採点機能（カラオケ装置Ｋ１で実行できない採点機能）の名称も含まれる。
【００３３】
［採点機能選択部］
採点機能選択部３００ａは、利用者が自己のカラオケ歌唱を採点する際に利用したい採点機能（以下、「所望の採点機能」という場合がある）を選択する際の処理を実行する。
【００３４】
たとえば、リモコン装置５０の表示画面に表示された「採点機能」のアイコンが選択された場合、採点機能選択部３００ａは、機能名称記憶部２００ａからカラオケシステム１で実行可能な全ての採点機能の名称を読み出し、リモコン装置５０の表示画面に一覧表示させる。
【００３５】
表示された名称の一覧の中から利用者が所望の採点機能を選択すると、採点機能選択部３００ａは、選択された採点機能の名称に対応するＩＤを判断部４００ａに出力する。
【００３６】
［判断部］
判断部４００ａは、自己（カラオケ装置Ｋ１）が搭載する採点機能を含む複数種類の採点機能の中から、二つ以上の採点機能が所望の採点機能として選択された場合、カラオケ装置Ｋ１が当該所望の採点機能を搭載するかどうかを判断する。
【００３７】
上述の通り、各カラオケ装置は所定の採点機能を搭載している。そこで、判断部４００ａは、採点機能選択部３００ａを介して選択された採点機能をカラオケ装置Ｋ１が搭載しているかどうかを判断する。判断方法は、たとえば、採点機能選択部３００ａから入力されたＩＤと同じＩＤがカラオケ装置Ｋ１の採点機能記憶部１００ａに記憶されているかどうかを確認することにより行う。
【００３８】
本実施形態では、所望の採点機能として「精密採点ＤＸ」と「シンプル採点」の２つが選択されたとする。この場合、選択された採点機能と、採点機能記憶部１００ａに記憶されている採点機能が一致（「精密採点ＤＸ」と「シンプル採点」）する。すなわち、判断部４００ａは、選択された所望の採点機能をカラオケ装置Ｋ１が全て搭載していると判断する。
【００３９】
判断部４００ａは、この判断結果を採点処理部５００ａ及び特定部６００ａに出力する。なお、選択された採点機能の一部のみを搭載する場合（第１実施形態の変形例）及び選択された採点機能を搭載しない場合（第２実施形態）については後述する。
【００４０】
［採点処理部］
採点処理部５００ａは、選択された所望の採点機能のうち少なくとも一つを搭載する場合、そのうちの一の採点機能を実行して第一の採点結果を得る。
【００４１】
採点処理部５００ａは、判断部４００ａから入力される判断結果に基づいて、採点機能を実行する。
【００４２】
上述の通り、カラオケ装置Ｋ１は、選択された所望の採点機能（「精密採点ＤＸ」と「シンプル採点」）の全てを搭載している。一方、一のカラオケ装置が複数の採点機能を搭載している場合であっても、ハードウェアの制約上、一のカラオケ装置では一の採点機能のみの実行となる（一のカラオケ装置では、同時に複数の採点機能を実行することはない）。
【００４３】
そこで、本実施形態に係る採点処理部５００ａは、選択された所望の採点機能のうち、一の採点機能（たとえば、「精密採点ＤＸ」）のプログラムを採点機能記憶部１００ａから読み出す。そして、採点処理部５００ａは、歌唱音声信号の入力に伴い、当該プログラムを実行することによってカラオケ歌唱の採点処理を実行し、採点結果を得る。一方、採点処理部５００ａで実行しない採点機能については他のカラオケ装置で実行される（詳細は後述）。採点処理部５００ａは、実行しない採点機能に対応するＩＤを特定部６００ａに出力する。
【００４４】
カラオケ装置Ｋ１のように所望の採点機能を複数搭載している場合、いずれの採点機能を実行するかは予め設定しておくことができる。或いは、特定部６００ａによって特定された他のカラオケ装置が搭載していない採点機能を実行することでもよい（この場合、採点処理部５００ａで実行しない採点機能に対応するＩＤを特定部６００ａに出力する必要はない）。
【００４５】
採点処理は、各プログラムに応じて様々な手法を用いることができる（たとえば、特開２００５−１０７３３５号公報に記載の採点処理や非特許文献に記載された採点処理を参照）。採点結果は、具体的な数値（採点値）として求められてもよいし、Ａランク（採点値９０点以上）〜Ｅランク（採点値５０点以下）のように、ランクとして求められてもよい。採点処理部５００ａは、「第一の採点処理部」の一例である。また、採点処理部５００ａにより得られた採点結果は、「第一の採点結果」の一例である。
【００４６】
［特定部］
特定部６００ａは、選択された所望の採点機能のうち、一の採点機能以外の他の採点機能を搭載する他のカラオケ装置を特定する。
【００４７】
上述の通り、一のカラオケ装置（カラオケ装置Ｋ１）では、一の採点機能のみの実行となる。よって、特定部６００ａは、選択された所望の採点機能のうち、カラオケ装置Ｋ１で実行しない採点機能（たとえば「シンプル採点」）を実行できる他のカラオケ装置を特定する。
【００４８】
なお、特定される他のカラオケ装置は、他の採点機能を実行する必要があるため、未使用状態でなければならない。未使用状態とは、たとえば楽曲の予約待ち等の待機状態が所定期間継続中の状態や、楽曲配信を受けていない状態等、カラオケ装置が稼働していない状態である。
【００４９】
他のカラオケ装置の特定方法は、様々な手法を用いることができる。
【００５０】
たとえばネットワークＮ内のカラオケ装置Ｋ１〜カラオケ装置Ｋ３それぞれは、他のカラオケ装置の機種とアドレスを記憶しておく。未使用状態が所定期間継続したカラオケ装置は、その旨の信号を他の全てのカラオケ装置に通知する。通知を受けたカラオケ装置は、未使用状態のカラオケ装置に対してフラグを立てておくことで、リアルタイムに未使用状態の状況を把握できる。
【００５１】
特定部６００ａは、未使用状態の他のカラオケ装置に対して、他の採点機能に対応するＩＤを送信する。送信するＩＤは、選択された所定の採点機能のＩＤ全てを送信することでもよいし、採点処理部５００ａで予め設定されている採点機能以外の採点機能のＩＤのみを送信することでもよい。
【００５２】
他のカラオケ装置は、特定部６００ａから送信されたＩＤに対応する採点機能を搭載するかどうかを確認する。当該ＩＤに対応する採点機能を搭載するカラオケ装置は、特定部６００ａに対して、他の採点機能を搭載している旨の信号を送信する。特定部６００ａは、当該信号を受信することにより、選択された所望の採点機能のうち、一の採点機能以外の他の採点機能を搭載する他のカラオケ装置を特定することができる。
【００５３】
また、別の特定方法として、予め他のカラオケ装置が搭載する採点機能を装置毎に記憶しておく。そして、利用者が所望の採点機能を選択した場合、特定部６００ａは、他のカラオケ装置が搭載する採点機能の情報に基づいて、他の採点機能を実行できるカラオケ装置を特定する。そして、特定部６００ａは、特定したカラオケ装置のアドレスに対して未使用状態のカラオケ装置だけ返答する問い合わせをマルチキャストにより行い、返答があったカラオケ装置を「選択された所望の採点機能のうち、一の採点機能以外の他の採点機能を搭載する他のカラオケ装置」として特定することができる。
【００５４】
これらの手法により、本実施形態において、特定部６００ａは「シンプル採点」の採点機能を搭載するカラオケ装置Ｋ２を「他のカラオケ装置」として特定したとする。この場合の「シンプル採点」は「他の採点機能」の一例である。
【００５５】
［送信処理部］
送信処理部７００ａは、特定された他のカラオケ装置に対し、他の採点機能を実行するために必要な歌唱情報を送信する。本実施形態に係る送信処理部７００ａは、「歌唱情報送信部」の一例である。
【００５６】
歌唱情報は、他のカラオケ装置で採点機能を実行する際に使用するデータである。歌唱情報は、たとえば、利用者がカラオケ歌唱を行うことで得られる歌唱音声の信号や、カラオケ歌唱を行う楽曲を示す楽曲ＩＤ、キー情報、テンポ情報等の楽曲に関する情報を含む。歌唱情報の送信は、各カラオケ装置の通信部１２を介して行う。
【００５７】
送信処理部７００ａは、特定部６００ａにより特定された他のカラオケ装置に対し、カラオケ演奏の開始前に楽曲に関する情報を送信する。また、送信処理部７００ａは、カラオケ演奏が開始された後、入力される歌唱音声の信号を、特定部６００ａにより特定された他のカラオケ装置に対して順次送信する。
【００５８】
［提示部］
提示部８００ａは、第一の採点結果、及び／または他のカラオケ装置が有する採点機能により得られた第二の採点結果を提示する。
【００５９】
採点結果は、採点処理部５００ａや他のカラオケ装置（カラオケ装置Ｋ２）の採点処理部５００ｂ（後述）により得られた具体的な数値（採点値）やランクである。採点結果の提示方法は様々な手法が可能である。
【００６０】
たとえば、カラオケ装置Ｋ１での採点結果と、カラオケ装置Ｋ２での採点結果を表示装置３０に並べて表示することができる。或いは、提示部８００ａは、カラオケ装置Ｋ１での採点結果とカラオケ装置Ｋ２での採点結果とを比較し、良い採点結果（或いは悪い採点結果）のみを表示させることでもよい。このように採点結果を表示装置３０に表示させることは「採点結果を提示する」ことの一例である。また、提示部８００ａは、採点結果をリモコン装置５０の表示画面に表示させてもよい。
【００６１】
また、提示部８００ａは、スピーカ２０を介し、採点結果を音声として利用者に提示することも可能である。このように採点結果をスピーカ２０から放音させることも「採点結果を提示する」ことの一例である。
【００６２】
更に、提示部８００ａは、採点処理部５００ａ等で得られた採点結果を加工して提示することも可能である。たとえば、採点結果として採点値「８０点」が得られた場合、提示部８００ａは、採点値「８０点」に対応する所定のメッセージ（「かなり上手ですね！」等）を記憶部１３から読み出し、表示装置３０に表示させることも可能である。
【００６３】
（カラオケ装置Ｋ２のソフトウェア構成）
図４はカラオケ装置Ｋ２におけるカラオケ本体１０のソフトウェア構成例を示す図である。カラオケ本体１０は、採点機能記憶部１００ｂ、採点処理部５００ｂ、及び送信処理部７００ｂを備える。採点機能記憶部１００ｂは、記憶部１３の記憶領域の一部として実現される。また、採点処理部５００ｂ、送信処理部７００ｂは、カラオケ装置Ｋ２のＣＰＵがメモリに記憶されるプログラムを実行することにより実現される。本実施形態においてカラオケ装置Ｋ２は、「他のカラオケ装置」の一例である。
【００６４】
［採点機能記憶部］
採点機能記憶部１００ｂは、採点処理部５００ｂでカラオケ歌唱を採点する際の処理プログラムを所定のＩＤと関連付けて記憶している。本実施形態において、カラオケ装置Ｋ２の採点機能記憶部１００ｂは、採点機能として「シンプル採点」を記憶している。
【００６５】
［採点処理部］
採点処理部５００ｂは、送信された歌唱情報に対して他の採点機能を実行して第二の採点結果を得る。
【００６６】
採点処理部５００ｂは、カラオケ装置Ｋ１で選択された所望の採点機能のうちカラオケ装置Ｋ１で実行しない採点機能（「シンプル採点」）のプログラムを採点機能記憶部１００ｂから読み出す。採点処理部５００ｂは、カラオケ装置Ｋ１の送信処理部７００ａから送信される歌唱情報に対し、当該プログラムを実行することによってカラオケ歌唱の採点処理を実行し、採点結果を得る。採点結果は、採点処理部５００ａと同様、様々な方法により、様々な値として得ることができる。本実施形態に係る採点処理部５００ｂは、「第二の採点処理部」の一例である。また、採点処理部５００ｂにより得られる採点結果は、「第二の採点結果」の一例である。
【００６７】
［送信処理部］
送信処理部７００ｂは、通信部１２を介し、第二の採点結果をカラオケ装置Ｋ１に送信する。本実施形態に係る送信処理部７００ｂは、「採点結果送信部」の一例である。
【００６８】
＝＝カラオケ装置１の動作について＝＝
次に、図５を参照して本実施形態におけるカラオケシステム１の動作の具体例について述べる。図５は、カラオケシステム１の動作例を示すフローチャートである。この例では、カラオケ装置Ｋ１においてカラオケ歌唱を行うものとする。カラオケ装置Ｋ１は、採点機能として「精密採点ＤＸ」及び「シンプル採点」を記憶しているとする。また、カラオケ装置Ｋ２は「他のカラオケ装置」に相当し、採点機能として「シンプル採点」を記憶しているとする。
【００６９】
利用者Ｘは、カラオケ装置Ｋ１のリモコン装置５０を介して楽曲を選曲する（楽曲の選曲。ステップ１０）。また、利用者は、リモコン装置５０を介してステップ１０で選曲された楽曲のカラオケ歌唱を採点する際に利用する採点機能を選択する（所望の採点機能を複数選択。ステップ１１）。この例では、採点機能として「精密採点ＤＸ」及び「シンプル採点」が選択されたとする。
【００７０】
判断部４００ａは、ステップ１１で選択された所望の採点機能をカラオケ装置Ｋ１が搭載するかどうかを判断する（少なくとも一つの採点機能を搭載するかを判断。ステップ１２）。この例では、カラオケ装置Ｋ１は、選択された「精密採点ＤＸ」及び「シンプル採点」のいずれの採点機能も搭載している。
採点処理部５００ａは、搭載する所望の採点機能のうち、一の採点機能を決定する（一の採点機能を決定。ステップ１３）。具体的には、採点処理部５００ａは、採点機能記憶部１００ａから一の採点機能（ここでは「精密採点ＤＸ」）のプログラムを読み出す。
【００７１】
特定部６００ａは、ステップ１１で選択された所望の採点機能のうち、ステップ１３で決定された採点機能以外の他の採点機能（シンプル採点）を搭載するカラオケ装置Ｋ２（他のカラオケ装置）を特定する（他のカラオケ装置の特定。ステップ１４）。
【００７２】
送信処理部７００ａは、ステップ１４で特定されたカラオケ装置Ｋ２に対し、他の採点機能を実行するために必要な歌唱情報を送信する（歌唱情報の送信。ステップ１５）。
【００７３】
歌唱音声信号の入力に伴い、採点処理部５００ａは、「精密採点ＤＸ」の採点機能を実行して採点結果を得る（一の採点機能による採点結果を取得。ステップ１６）。
【００７４】
一方、採点処理部５００ｂは、ステップ１５で送信された歌唱情報に対して他の採点機能を実行して採点結果を得る（他の採点機能による採点結果を取得。ステップ１７）。
【００７５】
送信処理部７００ｂは、ステップ１７で得られた採点結果をカラオケ装置Ｋ１に送信する（採点結果の送信。ステップ１８）。
【００７６】
提示部８００ａは、ステップ１６で取得された採点結果、及び／またはステップ１７で取得された採点結果を提示する（採点結果の提示。ステップ１９）。
【００７７】
このように、本実施形態に係るカラオケシステム１によれば、あるカラオケ装置で行う一回のカラオケ歌唱を採点するために複数の採点機能が選択された場合であっても、他のカラオケ装置の採点機能を併せて利用することにより、当該カラオケ歌唱に対し、全ての採点機能による採点結果を提示することができる（採点機能を他のカラオケ装置に代行させることができる）。従って、利用者は、選択した所望の採点機能による複数の採点結果を得ることが可能となる。すなわち、本実施形態に係るカラオケシステム１によれば、利用するカラオケ装置に搭載されている採点機能の種類に関わらず、所望の採点機能による採点結果を得ることができる。
【００７８】
なお、本実施形態においては、カラオケ装置Ｋ１においてカラオケ歌唱を行う場合（カラオケ装置Ｋ１で所望の採点機能を選択する場合）について述べたが、たとえば、カラオケ装置Ｋ２でカラオケ歌唱を行うことも当然に可能である。
【００７９】
この場合、カラオケ装置Ｋ２のカラオケ本体１０が、採点機能記憶部１００ａ、機能名称記憶部２００ａ、採点機能選択部３００ａ、判断部４００ａ、採点処理部５００ａ、特定部６００ａ、送信処理部７００ａ、及び提示部８００ａを備え、カラオケ装置Ｋ１のカラオケ本体１０は、採点機能記憶部１００ｂ、採点処理部５００ｂ、及び送信処理部７００ｂを備えることとなる。
【００８０】
また、本実施形態では、特定部６００ａがカラオケ装置Ｋ２を「他のカラオケ装置」として特定する例について述べたが、選択された採点機能の種類により、カラオケ装置Ｋ３を「他のカラオケ装置」として特定することも当然に可能である。この場合、カラオケ装置Ｋ３のカラオケ本体１０は、カラオケ装置Ｋ２と同様、採点機能記憶部１００ｂ、採点処理部５００ｂ、及び送信処理部７００ｂを備えることとなる。
【００８１】
また、本実施形態では、カラオケ装置Ｋ１における採点処理とカラオケ装置Ｋ２における採点処理をほぼ同時に行う構成について述べたがこれに限られない。たとえば、カラオケ装置Ｋ１で採点処理を行った後、他のカラオケ装置としてカラオケ装置Ｋ２を特定して歌唱情報を送信する。その後、カラオケ装置Ｋ２は、採点処理を実行することでもよい。
【００８２】
＜第１実施形態の変形例＞
第１実施形態では、カラオケ装置Ｋ１で選択された所望の採点機能がカラオケ装置Ｋ１に全て搭載されている例について述べたが、選択された所望の採点機能のうち、一部のみが搭載されている場合であっても上記カラオケシステム１を利用することが可能である。
【００８３】
たとえば、カラオケ装置Ｋ１において、所望の採点機能として「精密採点ＤＸ」と「精密採点ＤＸ−Ｇ」の２つが選択されたとする。この場合、選択された採点機能とカラオケ装置Ｋ１に記憶されている採点機能とは、一部のみ一致（「精密採点ＤＸ」のみ一致）する。すなわち、カラオケ装置Ｋ１は、選択された所望の採点機能のうち、「精密採点ＤＸ」のみを搭載し、「精密採点ＤＸ−Ｇ」については搭載していない。
【００８４】
この場合、判断部４００ａは、その判断結果を採点処理部５００ａ及び特定部６００ａに出力する。
【００８５】
採点処理部５００ａは、選択された所望の採点機能のうち、搭載されている「精密採点ＤＸ」のプログラムを採点機能記憶部１００ａから読み出し、当該プログラムを実行することによってカラオケ歌唱の採点処理を実行し、採点結果を得る。
【００８６】
特定部６００ａは、カラオケ装置Ｋ１に搭載されていない他の採点機能（「精密採点ＤＸ−Ｇ」）を搭載する他のカラオケ装置を特定する。第１実施形態において「精密採点ＤＸ−Ｇ」の採点機能は、カラオケ装置Ｋ３が搭載している。従って、特定部６００ａは、他のカラオケ装置としてカラオケ装置Ｋ３を特定することができる（但し、カラオケ装置Ｋ３が未使用状態であることを要する）。なお、この場合のカラオケ装置Ｋ３は、カラオケ装置Ｋ２と同様の機能を有する「採点機能記憶部」、「採点処理部」、及び「送信処理部」を備えることとなる。
【００８７】
送信処理部７００ａは、特定されたカラオケ装置Ｋ３に対し、他の採点機能（「精密採点ＤＸ−Ｇ」）を実行するために必要な歌唱情報を送信する。
【００８８】
提示部８００ａは、カラオケ装置Ｋ１による採点結果、及び／またはカラオケ装置Ｋ３採点機能により得られた採点結果を提示する。
【００８９】
更に、一のカラオケ歌唱に対し、カラオケ装置Ｋ１〜カラオケ装置Ｋ３に搭載されている全ての採点機能を実行することも可能である。
【００９０】
たとえば、カラオケ装置Ｋ１で、「精密採点ＤＸ」、「シンプル採点」、「精密採点ＤＸ−Ｇ」の３つの採点機能が選択された場合、カラオケ装置Ｋ１は、「精密採点ＤＸ」で採点を行う。一方、カラオケ装置Ｋ１の特定部６００ａは、「シンプル採点」の採点機能を搭載するカラオケ装置Ｋ２及び、「精密採点ＤＸ−Ｇ」の採点機能を搭載するカラオケ装置Ｋ３をそれぞれ特定する。カラオケ装置Ｋ１の情報処理部７００ａは、カラオケ装置Ｋ２及びカラオケ装置Ｋ３それぞれに歌唱情報を送信する。カラオケ装置Ｋ２及びカラオケ装置Ｋ３は、歌唱情報に基づいて採点結果を求め、カラオケ装置Ｋ１に送信する。カラオケ装置Ｋ１の提示部８００ａは、３つの採点機能により得られた採点結果を利用者に提示する。
【００９１】
＜第２実施形態＞
次に、図６及び図７を参照して、第２実施形態に係るカラオケシステム１について説明する。第１実施形態と同様の構成については詳細な説明を省略する。
【００９２】
第１実施形態では、あるカラオケ装置において利用者が選択した所望の採点機能のうち、少なくとも一つの採点機能は当該あるカラオケ装置に搭載されている例について述べた。
【００９３】
一方、第１実施形態のように、カラオケシステム１に含まれる各カラオケ装置が備える全ての採点機能のリストから所望の採点機能を選択する際、あるカラオケ装置が搭載しない採点機能のみが選択されることもありうる。
【００９４】
本実施形態では、このような場合であっても、所望の採点機能に基づく採点結果を得ることが可能な構成について説明を行う。
【００９５】
（カラオケ装置Ｋ１のソフトウェア構成）
図６に示すように、本実施形態に係るカラオケ装置Ｋ１のカラオケ本体１０は、採点機能記憶部１００ａ、機能名称記憶部２００ａ、採点機能選択部３００ａ、判断部４００ａ、特定部６００ａ、送信処理部７００ａ、及び提示部８００ａを備える。
【００９６】
［判断部］
判断部４００ａは、カラオケ装置Ｋ１が搭載する採点機能を含む複数種類の採点機能の中から、少なくとも一つの採点機能が所望の採点機能として選択された場合、カラオケ装置Ｋ１が当該所望の採点機能を搭載するかどうかを判断する。
【００９７】
たとえば、機能名称記憶部２００ａに記憶されている採点機能の中から、所望の採点機能として「精密採点ＤＸ−Ｇ」が選択されたとする。この場合、本実施形態においては、選択された採点機能と採点機能記憶部１００ａに記憶されている採点機能とが一致しない。すなわち、カラオケ装置Ｋ１は、選択された所望の採点機能を搭載していない。よって、カラオケ装置Ｋ１では、利用者の希望する採点機能を実行することができない。
【００９８】
判断部４００ａは、選択された「精密採点ＤＸ−Ｇ」の採点機能を搭載していない旨の信号を特定部６００ａに出力する。
【００９９】
［特定部］
特定部６００ａは、カラオケ装置Ｋ１が所望の採点機能を搭載していない場合、当該所望の採点機能を搭載する他のカラオケ装置を特定する。
【０１００】
上述の通り、カラオケ装置Ｋ１では、選択された「精密採点ＤＸ−Ｇ」の採点機能を実行できない。よって、特定部６００ａは、選択された所望の採点機能を実行できる他のカラオケ装置を特定する。本実施形態において、特定部６００ａは、「精密採点ＤＸ−Ｇ」の採点機能を搭載するカラオケ装置Ｋ３を「他のカラオケ装置」として特定する。上記例における「精密採点ＤＸ−Ｇ」は「所望の採点機能」の一例である。
【０１０１】
［提示部］
提示部８００ａは、他のカラオケ装置が搭載する採点機能による採点結果を提示する。本実施形態では、提示部８００ａは、カラオケ装置Ｋ３から受信した採点結果（詳細は後述）を提示する。
【０１０２】
（カラオケ装置Ｋ３のソフトウェア構成）
カラオケ装置Ｋ３のカラオケ本体１０は、第１実施形態におけるカラオケ装置Ｋ２と同様、採点機能記憶部１００ｂ、採点処理部５００ｂ、及び送信処理部７００ｂを備える。本実施形態においてカラオケ装置Ｋ３は、「他のカラオケ装置」の一例である。
【０１０３】
採点機能記憶部１００ｂは、採点機能として「精密採点ＤＸ−Ｇ」を記憶している。
【０１０４】
採点処理部５００ｂは、送信された歌唱情報に対して所望の採点機能を実行して採点結果を得る。
【０１０５】
採点処理部５００ｂは、カラオケ装置Ｋ１で選択された所望の採点機能（「精密採点ＤＸ−Ｇ」）のプログラムを採点機能記憶部１００ｂから読み出す。採点処理部５００ｂは、カラオケ装置Ｋ１の送信処理部７００ａから送信される歌唱情報に対し、当該プログラムを実行することによってカラオケ歌唱の採点処理を実行し、採点結果を得る。
【０１０６】
［送信処理部］
送信処理部７００ｂは、採点結果をカラオケ装置Ｋ１に送信する。本実施形態に係る送信処理部７００ｂは、「採点結果送信部」の一例である。
【０１０７】
＝＝カラオケ装置１の動作について＝＝
次に、図７を参照して本実施形態におけるカラオケシステム１の動作の具体例について述べる。図７は、カラオケシステム１の動作例を示すフローチャートである。この例では、カラオケ装置Ｋ１においてカラオケ歌唱を行うものとする。カラオケ装置Ｋ１は、採点機能として「精密採点ＤＸ」及び「シンプル採点」を記憶しているとする。また、カラオケ装置Ｋ３は「他のカラオケ装置」に相当し、採点機能として「精密採点ＤＸ−Ｇ」を記憶しているとする。
【０１０８】
利用者Ｘは、カラオケ装置Ｋ１のリモコン装置５０を介して楽曲を選曲する（楽曲の選曲。ステップ２０）。また、利用者は、リモコン装置５０を介して当該楽曲のカラオケ歌唱を採点する際に利用する所望の採点機能を選択する（所望の採点機能を選択。ステップ２１）。この例では、採点機能として「精密採点ＤＸ−Ｇ」が選択されたとする。
【０１０９】
判断部４００ａは、ステップ２１で選択された所望の採点機能をカラオケ装置Ｋ１が搭載するかどうかを判断する（選択された採点機能を搭載するかを判断。ステップ２２）。この例では、カラオケ装置Ｋ１は、選択された「精密採点ＤＸ−Ｇ」の採点機能を搭載していない。
【０１１０】
そこで、特定部６００ａは、ステップ２１で選択された所望の採点機能を搭載する他のカラオケ装置としてカラオケ装置Ｋ３を特定する（他のカラオケ装置の特定。ステップ２３）。
【０１１１】
送信処理部７００ａは、ステップ２３で特定されたカラオケ装置Ｋ３に対し、他の採点機能を実行するために必要な歌唱情報を送信する（歌唱情報の送信。ステップ２４）。
【０１１２】
採点処理部５００ｂは、ステップ２４で送信された歌唱情報に対して他の採点機能を実行して採点結果を得る（他の採点機能による採点結果を取得。ステップ２５）。
【０１１３】
送信処理部７００ｂは、ステップ２５で得られた採点結果をカラオケ装置Ｋ１に送信する（採点結果の送信。ステップ２６）。
【０１１４】
提示部８００ａは、ステップ２６で取得された採点結果を提示する（他のカラオケ装置による採点結果を提示。ステップ２７）。
【０１１５】
このように、本実施形態に係るカラオケシステム１によれば、所望の採点機能を選択したカラオケ装置に当該採点機能が搭載されていない場合であっても、他のカラオケ装置の採点機能を利用することにより、当該カラオケ歌唱に対し、所望の採点機能による採点結果を提示することができる。従って、利用者は、選択した所望の採点機能による採点結果を得ることが可能となる。すなわち、本実施形態に係るカラオケシステム１によれば、利用するカラオケ装置に搭載されている採点機能の種類に関わらず、所望の採点機能による採点結果を得ることができる。
【０１１６】
＜その他＞
上記実施形態では、複数のカラオケ装置を含むカラオケシステム１の例について述べたが、カラオケシステム１は、サーバを含んでいてもよい。サーバは、各カラオケ装置とネットワークを介して通信可能となっている。
【０１１７】
たとえば、上記実施形態において、カラオケ装置Ｋ１で複数の採点機能が選択された場合、カラオケ装置Ｋ１で実行できる採点機能以外はカラオケ装置Ｋ１と同じ店舗内にある他のカラオケ装置（カラオケ装置Ｋ２またはカラオケ装置Ｋ３）で実行できる。
【０１１８】
一方、カラオケ装置Ｋ２及びカラオケ装置Ｋ３が使用中の状態であったり、選択された採点機能を搭載していない場合もありうる。或いは、そもそも他のカラオケ装置が存在しない環境（たとえば、ナイト店）もありうる。
【０１１９】
このような場合、カラオケシステムがサーバを備えることにより、カラオケ装置Ｋ１は、当該サーバに接続されている全てのカラオケ装置（他店舗のカラオケ装置）にアクセスすることができる。
【０１２０】
このようなサーバは特定部６００ａと同様の構成を備える。すなわち、サーバは、未使用状態と判断される他の採点機能が搭載されたカラオケ装置をサーバに接続されている全てのカラオケ装置の中から特定する。なお、複数のカラオケ装置が特定された場合、通信速度等の制約条件の少ないカラオケ装置を一つ特定する。
【０１２１】
特定の方法としては、たとえば待機状態が所定期間継続したカラオケ装置は、未使用状態である旨の信号をサーバに通知する。通知を受けたサーバは、記憶部に未使用状態のカラオケ装置を登録しておく。カラオケ装置Ｋ１から他の採点機能を実行できるカラオケ装置を特定する旨の要求（代行要求）があった場合、サーバは、記憶部に記憶されている未使用状態のカラオケ装置の中から、他の採点機能を実行できるカラオケ装置を特定する。
【０１２２】
或いは、サーバは、カラオケ装置Ｋ１から要求された他の採点機能が搭載されたカラオケ装置に対し、未使用状態のカラオケ装置だけ返答する問い合わせをマルチキャストにより行う。そして、サーバの特定部は、返答があったカラオケ装置を「他のカラオケ装置」として特定することでもよい。
【０１２３】
また、未使用状態の他のカラオケ装置で採点処理を実行している最中に、他のカラオケ装置が使用状態（たとえば、楽曲が予約された場合）になることもありうる。このような場合であっても以下のような処理を行うことで他の採点機能による採点結果を得ることが可能となる。
【０１２４】
歌唱情報を送信する一のカラオケ装置は、他のカラオケ装置で採点処理を行っている間（他のカラオケ装置から採点結果を受信するまで）は、歌唱音声を記憶する。
【０１２５】
一方、他のカラオケ装置は、使用状態を検知した場合、採点処理を中止すると共に、一のカラオケ装置に対し、採点処理を中止した旨の信号を送信する。
【０１２６】
中止した旨の信号を受信した一のカラオケ装置は、他のカラオケ装置で実施していた採点機能（他の採点機能）と同じ採点機能を有する別のカラオケ装置を特定し、記憶している歌唱音声を含む歌唱情報を順次送信する。別のカラオケ装置は、受信した歌唱情報に基づいて採点処理を実行する。なお、別のカラオケ装置における採点処理は、一のカラオケ装置における採点処理中であってもよいし、採点終了後に行われることでもよい。
【０１２７】
更に、他のカラオケ装置は、中止した旨の信号と併せて、それまでの採点経過（採点が終了しているフレーズや音符を特定する情報及びそれまでの採点結果）を送信してもよい。
【０１２８】
この場合、一のカラオケ装置は、特定した別のカラオケ装置に対して、歌唱情報と併せて採点経過を送信する。別のカラオケ装置は、採点経過に基づいて、採点が終了しているフレーズに相当する位置まで歌唱音声を早送りし、残りの部分について採点を実行し新たな採点結果を得る。そして、別のカラオケ装置は、他のカラオケ装置で得られた採点結果と新たな採点結果に基づいて、カラオケ歌唱の採点結果を求めることもできる。この場合、一のカラオケ装置に対して採点結果を送信するまでに要する時間を短縮することができる。
【０１２９】
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【０１３０】
１  カラオケシステム
１０  カラオケ本体
１１  制御部
１３  記憶部
４００ａ  判断部
５００ａ、５００ｂ  採点処理部
６００ａ  特定部
７００ａ、７００ｂ  送信処理部
８００ａ  提示部
Ｋ１、Ｋ２、Ｋ３  カラオケ装置
【図１】
2018091983.tif 000003
【図２】
2018091983.tif 000004
【図３】
2018091983.tif 000005
【図４】
2018091983.tif 000006
【図５】
2018091983.tif 000007
【図６】
2018091983.tif 000008
【図７】
2018091983.tif 000009